(57)【特許請求の範囲】
【請求項１】
洗濯物収納装置本体には洗濯物投入口を形成するとともに該洗濯物投入口から投入される利用者の洗濯物を収納する洗濯物収納装置において、
収納した洗濯物を取り出し可能に設けた扉と、
該扉の開閉を検知する扉開閉検知手段と、
利用者による洗濯物収納装置の利用履歴を記録する利用履歴記録手段と、
該利用履歴記録手段に記録された利用履歴を集計する集計手段と、
該集計手段による集計データを出力する出力手段と、
前記扉開閉検知手段の検知信号に基づき前記集計手段による集計対象を変更する集計対象変更手段とを備えた
ことを特徴とする洗濯物収納装置。
【請求項２】
前記集計対象変更手段は、扉の開放を検知している間に前記出力手段による集計データの出力があった場合には、当該扉の閉鎖を検知した時に集計対象を変更する
ことを特徴とする請求項１記載の洗濯物収納装置。
【請求項３】
前記利用履歴記録手段は、複数の分割記録領域と、該分割記録領域の何れかを指示するポインタとを備えるとともに、利用履歴の記録は該ポインタの指示する分割記録領域に対して行うものとし、
前記集計手段による集計は、前記ポインタの指示する分割記録領域に記録された利用履歴を集計するものとし、
前記集計対象変更手段による集計対象の変更は、前記ポインタの指示先を変更するものとした
ことを特徴とする請求項１又は２記載の洗濯物収納装置。
【発明の詳細な説明】
【０００１】
【発明の属する技術分野】
本発明は、クリーニング店やコンビニエンスストア等の店頭などに設置し、利用者が預け入れる洗濯物（クリーニング物）を収納し保管する洗濯物収納装置に関するものである。
【０００２】
【従来の技術】
従来、この種の洗濯物収納装置としては特許第２５８８７２８号掲載公報に開示されたランドリーボックスが知られている。このランドリーボックスについて図８を参照して説明する。図８は従来のランドリーボックスを示す外観斜視図である。
【０００３】
このランドリーボックス１００は、図８に示すように、ケーシング１０１の前面上半部に洗濯物の投入口１０２を設けている。この投入口１０２の下縁部には、設定角前後に開閉旋回自在にされているシュート兼用の蓋１０３が枢支されている。また、ケーシング１０１の下側の内部には、預け入れられた洗濯物を保管する収納部が形成されている。このランドリーボックス１００では、洗濯物を投入し収容するには、蓋１０３を設定角度まで前方に回動して投入口１０２を開放し、洗濯物を蓋１０３の裏面に滑らすようにして収納部に投入して行われる。
【０００４】
ところで、この種の洗濯物収納装置は、利用者に対して洗濯物の預け入れサービスを提供するとともに、収納された洗濯物を回収する回収業者（主にクリーニング業者や店員等）やメンテナンス業者等の管理者に対して管理業務サービスを提供する。前記ランドリーボックス１００では、管理用のキーボードを備えており、このキーボードの実績印字キーの操作により実績印字処理が実行される。この実績印字処理では預け入れサービス時に記録した実績データをラベルに印刷し実績リストを作成する。ここで印刷される実績データとしては、会員情報や日付等のデータであり、換言すれば利用履歴である。回収業者等は、洗濯物の回収時に実績リストを印刷し、この実績リストと洗濯物とを照合させ洗濯物の管理を行う。
【０００５】
【発明が解決しようとする課題】
しかしながら、従来のランドリーボックス１００では、既に印刷した実績データが次回実績リストの印刷時に印刷されないようにするために、洗濯物を回収したときには客数リセットキー又は全消キーを操作して、印字した分の実績データをメモリから消去している。このため、管理者が実績リストを印刷し洗濯物を回収したが当該メモリ消去のキー操作を忘れた場合には、次回実績リストを印刷した際には回収済みの洗濯物に関するデータまで印刷されることとなる。つまり、実績リストに印刷されたデータと、実際に預け入れられている洗濯物とが対応しない場合がある。したがって、管理者による洗濯物の回収時には必ず前記キー操作が必要であるという点で利便性の悪いものであり、一方このようなキー操作を忘れた場合には管理作業が繁雑となるという問題がある。
【０００６】
本発明は、上記事情に鑑みてなされたものであり、その目的とするところは、洗濯物の管理業務を簡便かつ確実に行うことができる利便性の高い洗濯物収納装置を提供することにある。
【０００７】
【課題を解決するための手段】
上記目的を達成するために、請求項１の発明では、洗濯物収納装置本体には洗濯物投入口を形成するとともに該洗濯物投入口から投入される利用者の洗濯物を収納する洗濯物収納装置において、収納した洗濯物を取り出し可能に設けた扉と、該扉の開閉を検知する扉開閉検知手段と、利用者による洗濯物収納装置の利用履歴を記録する利用履歴記録手段と、該利用履歴記録手段に記録された利用履歴を集計する集計手段と、該集計手段による集計データを出力する出力手段と、前記扉開閉検知手段の検知信号に基づき前記集計手段による集計対象を変更する集計対象変更手段とを備えたことを特徴とするものを提案する。
【０００８】
本発明によれば、洗濯物収納装置に収納された洗濯物を回収するために扉を開閉すると、扉開閉検知手段により当該扉の開閉が検知されるとともに、当該検知信号に基づき利用履歴の集計対象が変更される。これにより、管理者が特別な操作をすることなく確実に適切な利用履歴の集計データを得ることができる。
【０００９】
また、請求項２の発明では、請求項１記載の洗濯物収納装置において、前記集計対象変更手段は、扉の開放を検知している間に前記出力手段による集計データの出力があった場合には、当該扉の閉鎖を検知した時に集計対象を変更することを特徴とするものを提案する。
【００１０】
本発明によれば、洗濯物の利用履歴の集計データの出力があった場合にのみ扉の閉鎖時に集計対象が変更されるので、例えば集計データを必要とせず洗濯物の取り出しのみ行う場合には、次回集計データの出力時に、蓄積した集計データをまとめて出力することができる。また、集計対象の変更は扉の閉鎖時に行われるので、出力手段により同一の集計対象を集計して同一内容の集計データを出力することができる。つまり、利用形態や管理方法に対応して適切な出力データを得ることができるので利便性の高いものとなる。
【００１１】
本発明の好適な態様の一例として、請求項３の発明では、請求項１又は２記載の洗濯物収納装置において、前記利用履歴記録手段は、複数の分割記録領域と、該分割記録領域の何れかを指示するポインタとを備えるとともに、利用履歴の記録は該ポインタの指示する分割記録領域に対して行うものとし、前記集計手段による集計は、前記ポインタの指示する分割記録領域に記録された利用履歴を集計するものとし、前記集計対象変更手段による集計対象の変更は、前記ポインタの指示先を変更するものとしたことを特徴とするものを提案する。
【００１２】
本発明によれば、請求項１又は請求項２の洗濯物収納装置を、確実に実施することができる。また、利用履歴記録手段は複数の分割記録領域からなるので前回集計時以前の利用履歴の集計データを得ることができる。
【００１３】
【発明の実施の形態】
本発明の一実施の形態にかかる洗濯物収納装置について図１〜図３を参照して説明する。図１は洗濯物収納装置の外観斜視図、図２は図１における洗濯物収納装置のＡ−Ａ’線矢視方向縦断面図、図３はリモコンの正面図である。
【００１４】
この洗濯物収納装置は、図１に示すように、縦長の略直方体形状をした洗濯物収納装置本体（以下、単に「本体」と言う。）１の前面に洗濯物投入口（以下、単に「投入口」と言う。）２を形成し、この洗濯物投入口２の下縁部を軸として前後に回動自在に開閉する洗濯物投入扉（以下、単に「投入扉」と言う。）３を設けたものである。
【００１５】
本体１は、前面開口の外箱４と、この外箱４の内側に設置された前面開口の内箱５と、外箱４及び内箱５の前面開口を開閉自在に閉鎖する前面扉６からなる。前記投入口２は、この前面扉６の上端よりやや下方において横長矩形に開口している。また、前面扉６に開口する投入口２の上方には、表示器７、カードリーダ８、プリンタ９が横方向に並設されている。さらに、投入口２の下方中央には、本体１の前方に立つ人間の有無を検知する人体検知センサー１０が設置されている。さらに、人体検知センサー１０の左右一方の端には、前面扉６をロックする前面扉錠１１を付設している。さらに、前面扉６の前面下部の大部分には、電照パネル１２を設けており、主に夜間照明やクリーニング店の表示や広告等のスペースとなる。また、前面扉６は、開放することにより収納した洗濯物を取り出し可能に設けられている。さらに、前面扉６の裏面には後述するリモコン３０が配置されている。
【００１６】
投入扉３には、前面上部には開閉時の把手となる溝３ａが形成されている。また、投入扉３は、前述したように下縁を軸として前後方向に開閉自在に軸着されており、前方に開放した際には投入扉３の裏面が略水平に維持されるように、投入扉支持アーム（図示省略）で本体１に支持されている。さらに、投入扉３は、図２に示すように、前面扉６の内側であって投入口２の上側に付設された投入扉ロック機構１３によりロック及びアンロック自在とされている。この投入扉ロック機構１３は、投入扉ソレノイド１３ａ（図示省略）を備えて開閉制御するものであり、投入扉ソレノイド１３ａの摺動軸が投入扉３の上縁部に形成した孔（図示省略）と嵌合して投入扉３のロック及びアンロックを可能としている。また、投入扉ロック機構１３の近傍には、投入扉３の開閉を検知する投入扉開閉センサ１４が付設されている。
【００１７】
本体１の内部には、底板１ａの上に内箱５を配置している。内箱５は、天井板５ａ，左右側板及び背面板と外箱４との間にそれぞれ所定の空間を設けるように配置している。また、天井板５ａの高さ位置は、投入口２の上縁部と高さ位置をほぼ同じにしている。この天井板５ａの上面には、前記表示器７、カードリーダ８、プリンタ９がそれぞれ設置してある。ここで、表示器７は、利用者等に対して各種情報を提供するためのものであり、例えばＬＣＤ表示器である。また、カードリーダ８は、利用者に配布した会員カードＣに記録されている各種情報を入力するためのものであり、例えば磁気カードリーダである。また、プリンタ９は、利用者に対して洗濯物の預り証Ｒを発行するとともに、管理者等が集計リストＳ（ジャーナル）等を出力するためのものであり、例えばサーマルプリンタである。
【００１８】
内箱５には、内部を上下に仕切る前後一対の板状部材である前中扉１５及び後中扉１６が配置されている。前中扉１５は、内箱５の断面のうち前半分を仕切る矩形のもので、前縁を軸として下方に回動自在に軸着されている。後中扉１６は、内箱５の断面のうち後ろ半分を仕切る矩形のもので、後縁を軸として下方に回動自在に軸着されている。この前中扉１５及び後中扉１６は、下方から上方向に回動して内箱５を上下に仕切った際に、すなわち水平状態にした際に、上面高さが投入口２の下縁とほぼ同じ高さ位置となるように配置されている。この前中扉１５及び後中扉１６は、それぞれ前中扉駆動機構１７及び後中扉駆動機構１８により開閉駆動される。
【００１９】
さらに、内箱５には、前中扉１５及び後中扉１６から落下した洗濯物を受容するための洗濯物受容ネット１９が配置されている。また、内箱５には、洗濯物受容ネット１９の高さ位置を洗濯物の量に応じて調整するために、スプリングを主構成要素とする高さ位置調整機構２０が設置されている。なお、ここで洗濯物は、図１に示すように、クリーニングバックＢに収納されて投入される。
【００２０】
また、本体１の内側には、前面扉６の開閉を検知して、後述する制御回路へ検知信号を出力する扉開閉検知手段である前面扉開閉センサ２１が設けられている。この前面扉開閉センサ２１としては、例えばマイクロスイッチや近接スイッチ等により構成される。
【００２１】
前面扉６の裏側には、前述したように、クリーニング業者や設置店舗の店員等の管理者が操作するためのリモコン３０が配置されている。このリモコン３０は、通信ケーブル３１を介して後述する制御回路と接続しており、前面扉６を開放した時にのみ取り出して操作が可能となっている。このリモコン３０は、図３に示すように、各種データを入力したり各種レポートの印刷処理等を指示するためのキーを複数備えている。具体的には、ジャーナル印刷キー３２、前回集計印刷キー３３、２回前集計印刷キー３４、３回前集計印刷キー３５等を備えている。
【００２２】
この洗濯物収納装置は、予め特定人に配布した会員カードＣをカードリーダ８に挿入して利用されるものである。ここで会員カードＣは、各種情報を記録する記録媒体であって前記カードリーダ８で読み取り可能なものであり、例えば磁気カードである。また、この洗濯物収納装置は、管理者が前面扉６を開放して洗濯物の回収作業を行うとともに、リモコン３０により各種管理作業を行うものである。
【００２３】
次に、この洗濯物収納装置の制御回路について図４及び図５を参照して説明する。図４は洗濯物収納装置の制御回路のブロック図、図５はＲＡＭの構成を説明する図である。
【００２４】
この制御回路４０は、図４に示すように、ＣＰＵ４１，ＲＡＭ４２，ＲＯＭ４３，Ｉ／Ｏインターフェース４４等を備えたものである。この制御回路４０には、Ｉ／Ｏインターフェース４４を介して表示器７，カードリーダ８，プリンタ９，リモコン３０，前面扉開閉センサ２１、投入扉ソレノイド１３ａ，投入扉開閉センサ１４，前中扉駆動機構１７，後中扉駆動機構１８等が接続されている。
【００２５】
ＲＡＭ４２には、利用者による洗濯物収納装置の利用履歴を記録する利用履歴記録領域Ｍが設けられている。この利用履歴記録領域Ｍは、図５に示すように、複数の領域に分割されており、本実施の形態では４つの分割領域Ｍ０〜Ｍ３に分割した。また、ＲＡＭ４２は、この分割領域Ｍ０〜Ｍ３のうち、どの分割領域に利用履歴を記録するかを指示する領域ポインタＰを備えている。利用履歴を記録する際には、利用履歴記録領域Ｍのうち領域ポインタＰが指示する分割領域を用いる。また、領域ポインタＰの指示先の変更は、前進する方向に変更させる場合には分割領域Ｍ０→Ｍ１→Ｍ２→Ｍ３へと変更させ、さらに前進させる場合には分割領域Ｍ３→Ｍ０へと循環変更させる。
【００２６】
次に、この洗濯物収納装置の動作について説明する。洗濯物収納装置は、制御回路４０のＲＯＭ４３に格納された制御プログラムに基づき動作し、利用者に対する洗濯物預け入れサービスや、管理者等に対する管理業務サービス等を提供する。
【００２７】
以下に、利用者に提供する洗濯物の預け入れサービス時の動作について図６を参照して説明する。図６は洗濯物の預け入れサービス時における制御フローチャートである。
【００２８】
まず、カードリーダ８に会員カードＣが挿入されることにより受付が行われる（ステップＳｔ１）。ここでは、会員カードＣが、正規なものであるか等のチェックが行われ、正常であるなら処理をステップＳｔ２に移す。また、このステップＳｔ１では、会員カードＣに記録されている各種情報、例えば会員番号等を読み取る。
【００２９】
次に、洗濯物の収納を行う（ステップＳｔ２）。ここでは、投入扉３のロックを解除し、表示器７により利用者に対してクリーニングバックＢの投入を促す。利用者は、このガイドに従って投入扉３を開放し、洗濯物を収納したクリーニングバックＢを投入する。クリーニングバックＢの投入後には、表示器７により投入扉３の閉鎖を促す。利用者は、このガイドに従って投入扉３を閉鎖する。以上により洗濯物が収納される。
【００３０】
次に、プリンタ９から預り証Ｒを発行する（ステップＳｔ３）。この預り証Ｒには、会員カードＣから読み取った会員番号等の各種情報や、設置されている店舗の店舗番号、日付、時刻等が印字される。利用者は、この預り証Ｒを受け取り持ち帰る。
【００３１】
最後に、当該利用に関する利用履歴をＲＡＭ４２の利用履歴記録領域Ｍに記録する（ステップＳｔ４）。ここで利用履歴の記録は、利用履歴記録領域Ｍのうち領域ポインタＰが示す分割領域Ｍ０〜Ｍ３の何れかに記録する。例えば、領域ポインタＰが分割領域Ｍ１を示している場合には、当該分割領域Ｍ１に利用履歴を順次記録していく。また、記録する情報としては、会員カードＣから読み取った各種情報や、日付、時刻等である。
【００３２】
以上のステップにより、利用者に対して洗濯物の預け入れサービスが提供されるとともに、利用毎に利用履歴が利用履歴記録領域Ｍに記録される。
【００３３】
次に、管理者等に提供する管理業務サービス時の動作について図７を参照して説明する。図７は管理業務サービス時における制御フローチャートである。なお、ここでは管理業務サービスのうち集計リストＳの作成及び発行について説明するものとし、特に最新の集計リストＳ及び前回集計した集計リストＳの作成及び発行について説明する。
【００３４】
管理業務サービス時には、まず、領域ポインタＰを変更するかどうかを判定するための変更フラグを初期化してゼロを設定する（ステップＳｔ１１）。ここで、変更フラグはＲＡＭ４２の所定領域を用いる。次に、前面扉開閉センサ２１の検知信号より前面扉６の開閉状況を判定する（ステップＳｔ１２）。前面扉６が開放されいている場合には処理をステップＳｔ１３に移してリモコン３０によるキー操作を判別する。前面扉６が閉鎖されている場合には処理をステップＳｔ２０に移す。
【００３５】
前面扉６が開放されている場合にリモコン３０のジャーナル印刷キー３２の押下を検出したら、最新の利用履歴の集計を行う（ステップＳｔ１３，Ｓｔ１４）。ここで利用履歴の集計は、利用履歴記録領域Ｍのうち領域ポインタＰが示す１つの分割領域Ｍ０〜Ｍ３に対して、当該分割領域に記録されている利用履歴について行う。この後に、集計した利用履歴をプリンタ９を用いて集計リストＳとして印字する（ステップＳｔ１５）。次いで、前面扉６が閉鎖された時に領域ポインタＰを変更するために前記変更フラグに１を設定する（ステップＳｔ１６）。これにより、最新の集計リストＳが作成・発行される。
【００３６】
一方、リモコン３０の前回集計印刷キー３３の押下を検出したら、前回集計した利用履歴の集計を行う（ステップＳｔ１７，Ｓ１８）。ここで、利用履歴の集計は、利用履歴記録領域Ｍのうち現在領域ポインタＰが示す分割領域から１つ後退した位置にある分割領域について行う。つまり、現在領域ポインタＰが分割領域Ｍ３を示すならば分割領域Ｍ２の利用履歴を集計し、同様に領域ポインタＰが分割領域Ｍ２の場合には分割領域Ｍ１、領域ポインタＰが分割領域Ｍ１の場合には分割領域Ｍ０、領域ポインタＰが分割領域Ｍ０の場合には分割領域Ｍ３の利用履歴を集計する。この後に、集計した利用履歴をプリンタ９を用いて集計リストＳとして印字する（ステップＳｔ１９）。これにより、前回集計し出力した利用履歴に関する集計リストＳが再び発行される。
【００３７】
前面扉６が閉鎖されている場合には、まず変更フラグの値を判定する（ステップＳｔ２０）。変更フラグが１となっている場合には、最新の利用履歴を集計し出力したと判定できるので、領域ポインタＰの示す領域を１つ前進させる（ステップＳｔ２１）。ここで領域ポインタＰの前進とは、前述したように、現在示している分割領域が領域Ｍｎだとすれば、分割領域Ｍ（（ｎ＋１）ｍｏｄ４）への移動変更を意味する（ｎ：０〜３の整数，ｍｏｄは剰余演算子）。つまり、現在領域ポインタＰが分割領域Ｍ０を示していれば当該ポインタを分割領域Ｍ１に移動させ、同様に分割領域Ｍ１の場合は分割領域Ｍ２に、分割領域Ｍ２の場合は分割領域Ｍ３に、分割領域Ｍ３の場合は分割領域Ｍ０に循環して移動変更させる（図５参照）。最後に、変更フラグの値をゼロに戻してやればよい（ステップＳｔ２２）。
【００３８】
以上のステップにより、前面扉６を開放してリモコン３０のジャーナル印刷キー３２を押下すると最新の集計リストＳが作成される。この後に前面扉６を閉鎖すると領域ポインタＰの指示先が変更されるので、次回作成される集計リストＳは今回作成時以降に記録された利用履歴について作成される。また、前回集計印刷キー３３を押下した場合には、前回作成した集計リストＳが作成される。ここで、領域ポインタＰの指示先は前面扉６が閉鎖した時に変更されるので、ジャーナル印刷キー３２を複数回押下することにより同一の集計リストＳを複数作成することができる。これは、例えば当該リストを複数入手したい場合やプリンタ９による出力時に紙切れが生じて完全なリスト作成ができなかった場合などに有効である。さらに、領域ポインタＰの指示先はジャーナル印刷キー３２を押下しないかぎり変更されず、すなわち前面扉６の開閉だけでは変更されることはない。したがって、前面扉６を開放し、集計リストＳの作成は行わず洗濯物の回収作業のみを行って前面扉６を閉鎖した場合には、次回ジャーナル印刷キー３２を押下した際に集計リストＳが作成される。これは、例えば洗濯物が満杯となって、設置店舗の店員等が一時的に洗濯物を取り出す場合などに有効である。
【００３９】
このように本実施の形態にかかる洗濯物収納装置によれば、洗濯物収納装置に収納された洗濯物を回収するために前面扉６を開閉すると、前面扉開閉センサ２１により当該扉の開閉が検知されるとともに、当該検知信号に基づき利用履歴の集計対象が変更される。これにより、管理者が特別な操作をすることなく確実に適切な利用履歴の集計リストＳを得ることができる。また、管理者の作業工数を削減できるので管理業務の迅速化を図ることができる。
【００４０】
また、洗濯物の利用履歴の集計データの出力があった場合にのみ前面扉６の閉鎖時に集計対象が変更されるので、例えば集計リストＳを必要とせず洗濯物の取り出しのみ行う場合には、次回集計リストＳの出力時に、蓄積した集計データをまとめて出力することができる。また、集計対象の変更は前面扉６の閉鎖時に行われるので、プリンタ９により同一の集計対象を集計して同一内容の集計リストＳを出力することができる。つまり、利用形態や管理方法に対応して適切な集計リストＳを得ることができるので利便性の高いものとなる。
【００４１】
なお、本実施の形態では、利用履歴記憶領域Ｍを４つの領域に分割したが、２つの領域，３つの領域、５つ以上の領域に分割してもよい。さらに、本実施の形態では、利用履歴記録領域Ｍに分割領域を設けなくてもよい。この場合には、集計対象の変更は、利用履歴記憶領域Ｍの初期化により行えば、次回集計時には今回集計時の利用履歴とは異なり、最新の利用履歴のみが集計され出力される。
【００４２】
【発明の効果】
以上詳述したように、請求項１の発明によれば、洗濯物収納装置に収納された洗濯物を回収するために扉を開閉すると、扉開閉検知手段により当該扉の開閉が検知されるとともに、当該検知信号に基づき利用履歴の集計対象が変更される。これにより、管理者が特別な操作をすることなく確実に適切な利用履歴の集計データを得ることができる。また、管理者の作業工数が削減できるので管理業務の迅速化を図ることができる。
【００４３】
また、請求項２の発明によれば、洗濯物の利用履歴の集計データの出力があった場合にのみ扉の閉鎖時に集計対象が変更されるので、例えば集計データを必要とせず洗濯物の取り出しのみ行う場合には、次回集計データの出力時に、蓄積した集計データをまとめて出力することができる。また、集計対象の変更は扉の閉鎖時に行われるので、出力手段により同一の集計対象を集計して同一内容の集計データを出力することができる。つまり、利用形態や管理方法に対応して適切な出力データを得ることができるので利便性の高いものとなる。
【００４４】
さらに、請求項３の発明によれば、前記請求項１又は請求項２の洗濯物収納装置を、確実に実施することができる。また、利用履歴記録手段は複数の分割記録領域からなるので前回集計時以前の利用履歴の集計データを得ることができる。
【図面の簡単な説明】
【図１】洗濯物収納装置の外観斜視図
【図２】図１における洗濯物収納装置のＡ−Ａ’線矢視方向縦断面図
【図３】リモコンの正面図
【図４】洗濯物収納装置の制御回路のブロック図
【図５】制御回路のＲＡＭの構成を説明する図
【図６】洗濯物の預け入れサービス時における制御フローチャート
【図７】管理業務サービス時における制御フローチャート
【図８】従来のランドリーボックスを示す外観斜視図
【符号の説明】
１…洗濯物収納装置本体、２…投入口、３…投入扉、４…外箱、５…内箱、６…前面扉、７…表示器、８…カードリーダ、９…プリンタ、１０…人体検知センサ、１３…投入扉ロック機構、２１…前面扉開閉センサ、３０…リモコン、４０…制御回路、４１…ＣＰＵ、４２…ＲＡＭ、４３…ＲＯＭ、Ｍ…利用履歴記録領域、Ｍ０〜Ｍ３…分割領域、Ｃ…会員カード、Ｒ…預り証、Ｓ…集計リスト
【図１】
0004034431.tif 000002
【図２】
0004034431.tif 000003
【図３】
0004034431.tif 000004
【図４】
0004034431.tif 000005
【図５】
0004034431.tif 000006
【図６】
0004034431.tif 000007
【図７】
0004034431.tif 000008
【図８】
0004034431.tif 000009